(57)【要約】【課題】ユーザデータの転送遅延を短縮し、内線送受信サーバの処理負荷軽減、それに伴うコスト低減を実現することができる移動通信システムを提供する。【解決手段】移動通信システム１００では、無線アクセスネットワーク５０ａ、５０ｂ間でユーザデータを送受信する内線送受信において、無線アクセスネットワーク５０ａに在圏するＭＳ１０ａと、無線アクセスネットワーク５０ｂに在圏するＭＳ１０ｂとの間で送受信されるユーザデータを、一の内線送受信サーバ３０ｂを用いることにより、無線アクセスネットワーク５０ａ、５０ｂの外にあるＭＳＣ６０を介さずに送受信する。【選択図】図１
2005142964.tif 000002
【特許請求の範囲】
【請求項１】
第１の無線制御装置の管理下にあり、第１の移動局装置から受信したユーザデータに所定の内線送受信装置のアドレスを付与する第１の無線基地局装置と、
前記第１の無線制御装置、あるいは、前記第１の無線制御装置とは異なる第２の無線制御装置の管理下にあり、前記第１の基地局装置から受信したユーザデータに、前記第２の無線制御装置の管理下にある第２の無線基地局装置のアドレスを付与する内線送受信装置とを備えることを特徴とする移動通信システム。
【請求項２】
前記第１の無線制御装置の管理下に第１の内線送受信装置を、前記第２の無線制御装置の管理下に第２の内線送受信装置を備える移動通信システムであって、
前記第１の無線基地局装置は、ユーザデータに、前記移動交換局によって選択された前記第１の内線送受信装置、あるいは、前記第２の内線送受信装置のアドレスを付与することを特徴とする請求項１に記載の移動通信システム。
【請求項３】
前記第１の移動局装置から送信されるユーザデータと、前記第２の移動局装置が受信するユーザデータの形式が異なる場合、前記内線送受信装置は、前記第１の移動局装置から送信されたユーザデータを、前記第２の移動局装置が受信するユーザデータ形式に変換するデータ変換部を備えることを特徴とする請求項１又は２に記載の移動通信システム。
【請求項４】
前記第１の移動局装置、前記第２の移動局装置、前記第１の無線基地局装置、前記第２の無線基地局装置、前記内線送受信装置、前記移動交換局の相互間におけるデータの送受信は、コネクションレス型の通信で行うことを特徴とする請求項１〜３のいずれか１項に記載の移動通信システム。
【請求項５】
第１の無線アクセスネットワークを構築し、内線送受信制御データに、該第１の無線アクセスネットワークとは異なる第２の無線アクセスネットワークを構築する第２の無線制御装置の管理下にある第２の内線制御装置のアドレスを付与する第１の無線制御装置と、
前記内線送受信制御データを受信する第２の内線送受信装置とを備えることを特徴とする移動通信システム。
【請求項６】
第１の無線アクセスネットワークを構築し、内線送受信制御データに、該第１の無線アクセスネットワークとは異なる第２の無線アクセスネットワークを構築する第２の無線制御装置のアドレスを付与する第１の無線制御装置と、
前記第２の無線制御装置の管理下にあり、前記第２の無線制御装置を介して、前記内線送受信制御データを受信する第２の内線送受信装置とを備えることを特徴とする移動通信システム。
【請求項７】
第１の無線制御装置の管理下にあり、第１の移動局装置から受信したユーザデータに所定の内線送受信装置のアドレスを付与する第１の無線基地局装置を備える移動通信システムに用いられる前記内線送受信装置であって、
前記第１の無線制御装置、あるいは、前記第１の無線制御装置とは異なる第２の無線制御装置の管理下にあり、前記第１の無線基地局装置から受信したユーザデータに、前記第２の無線制御装置の管理下にある第２の無線基地局装置のアドレスを付与することを特徴とする内線送受信装置。
【請求項８】
前記第１の移動局装置から送信されるユーザデータと、前記第２の移動局装置が受信するユーザデータの形式が異なる場合、前記内線送受信装置は、前記第１の移動局装置から送信されたユーザデータを、前記第２の移動局装置が受信するユーザデータ形式に変換するデータ変換部を更に備えることを特徴とする請求項７に記載の内線送受信装置。
【請求項９】
第１の無線制御装置の管理下にある第１の無線基地局装置であって、
第１の移動局装置から受信したユーザデータに、前記第１の無線制御装置とは異なる第２の無線制御装置の管理下にある第２の無線基地局装置のアドレスを付与することを特徴とする無線基地局装置。
【請求項１０】
第１の無線アクセスネットワークを構築する第１の無線制御装置であって、
管理下にある第１の基地局装置を介して第１の移動局装置から受信したユーザデータに、前記第１の無線制御装置とは異なる第２の無線制御装置の管理下にある第２の無線基地局装置のアドレスを付与することを特徴とする無線制御装置。
【請求項１１】
第１の無線制御装置の管理下にある第１の内線送受信装置と、前記第２の無線制御装置の管理下にある第２の内線送受信装置と、前記第１の無線制御装置の管理下にあり、第１の移動局装置から受信したユーザデータに所定の内線送受信装置のアドレスを付与する第１の無線基地局装置と、前記第１の無線基地局装置から受信したユーザデータに、前記第２の無線制御装置の管理下にある第２の無線基地局装置のアドレスを付与する前記所定の内線送受信装置とを備える移動通信システムに用いられる前記移動交換局であって、
前記所定の内線送受信装置として、前記第１の内線送受信装置、あるいは、前記第２の内線送受信装置のいずれかを選択する内線送受信装置選択部を備えることを特徴とする移動交換局。
【発明の詳細な説明】
【技術分野】
【０００１】
本発明は、移動通信システム、内線送受信装置、無線基地局装置、無線制御装置及び移動交換局に関する。
【背景技術】
【０００２】
従来の移動通信システム２００は、図１２に示すように、ＮｏｄｅＢ２２０ａ、２２０ｂと接続するＭＳ（Mobile  Station）２１０ａ、２１０ｂと、３ＧＰＰ（Third  Generation  Partnership  Project）に準拠した無線アクセスネットワーク２５０ａ、２５０ｂと、コアネットワーク２８０とから構成される。無線アクセスネットワーク２５０ａは、ＲＮＣ（Radio  Network  Controller）２４０ａと、ＲＮＣ２４０ａと接続するＮｏｄｅＢ２２０ａと、内線送受信サーバ２３０ａとから構成される。無線アクセスネットワーク２５０ｂも同様の構成であり、無線アクセスネットワーク２５０ａ、２５０ｂ間はルータ２９０ａ、２９０ｂを介して接続される。コアネットワーク２８０は、ＲＮＣ２４０ａ、２４０ｂと接続するＭＳＣ（Mobile  Switch  Controller）２６０と、ＭＳＣ２６０と接続するＨＬＲ（Home  Location  Register）２７０とから構成される（例えば、特許文献１参照）。ここで、ＲＮＣ２４０ａ、２４０ｂは、無線制御装置である。ＮｏｄｅＢ２２０ａ、２２０ｂは、無線基地局装置である。又、ＭＳ２１０ａ、２１０ｂは、移動局装置、ＭＳＣ２６０は、移動交換局、ＨＬＲ２７０は、加入者情報データベースである。
【０００３】
移動通信システム２００では、図１３に示す手順で通信が行われる。図１２は、ＮｏｄｅＢ２２０ａの無線ゾーンに在圏するＭＳ２１０ａが通信元であり、ＭＳ２１０ｂが通信先である場合を示している。
【０００４】
まず、ＭＳ２１０ａが、ＮｏｄｅＢ２２０ａ、ＲＮＣ２４０ａを介して、ＭＳＣ２６０に、ＭＳ２１０ｂへのユーザデータの送信を要求する発信要求とを送信する（Ｓ３０１）。ＭＳＣ２６０は、ＨＬＲ２７０を参照して、通信元のＭＳ２１０ａと通信先のＭＳ２１０ｂがそれぞれ接続しているＮｏｄｅＢ２２０ａ、２２０ｂの識別情報を、加入者情報として取得する（Ｓ３０２）。これにより、ＭＳＣ２６０は、ＭＳ２１０ａ、２１０ｂそれぞれと、ＮｏｄｅＢ２２０ａ、２２０ｂとが接続していることを検出する。
【０００５】
そして、ＭＳＣ２６０は、ＮｏｄｅＢ２２０ａ、２２０ｂの識別情報に基づいて、ＮｏｄｅＢ２２０ａ、２２０ｂの内線送受信サーバ接続情報を参照する（Ｓ３０３）。これにより、ＭＳＣ２６０は、ＭＳ２１０ａが接続するＮｏｄｅＢ２２０ａが内線送受信サーバ２３０ａと接続し、ＭＳ２１０ｂが接続するＮｏｄｅＢ２２０ｂが内線送受信サーバ２３０ｂと接続していることを検出する。ＭＳＣ２６０は、ＮｏｄｅＢ３２０ａ、２２０ｂと接続している内線送受信サーバ２３０ａ、２３０ｂが共に存在するため、内線送受信によるユーザデータの送受信を行うと判断し、内線送受信に使用する内線送受信サーバとして、内線送受信サーバ２３０ａ、２３０ｂを選択する。このとき、ＭＳＣ２６０は内線送受信サーバ２３０ａに対して、リソースを確保させるためのリソース確保要求を送信する（Ｓ３０４）。
【０００６】
次に、ＭＳＣ２６０は、ＲＮＣ２４０ｂにＭＳ２１０ｂを呼び出すよう指示する（Ｓ３０５）。ＲＮＣ２４０ｂは、指示を受けてＭＳ２１０ｂを呼び出し、ＭＳ２１０ｂがその呼び出しに対して、ＮｏｄｅＢ２２０ｂを介して応答する（Ｓ３０６）。ＲＮＣ２４０ｂは、ＭＳＣ２６０に、呼び出し応答を受けたことを通知する（Ｓ３０７）。
【０００７】
そして、ＭＳＣ２６０は、内線送受信サーバ２３０ａ、２３０ｂに、ＭＳ２１０ａ、２１０ｂ間で送受信されるユーザデータについて、内線送受信による送受信を実施することを通知する。更に、ＭＳＣ２６０は、内線送受信サーバ２３０ｂには、ユーザデータの通信先となる内線送受信サーバ２３０ａのＩＰアドレスを、内線送受信サーバ２３０ａには、ユーザデータの通信先となる内線送受信サーバ２３０ｂのＩＰアドレスを、それぞれ通知する（Ｓ３０８）、（Ｓ３０９）。
【０００８】
又、ＭＳＣ２６０は、通信先のＭＳ２１０ｂが接続するＮｏｄｅＢ２２０ｂと、通信元のＭＳ２１０ａが接続するＮｏｄｅＢ２２０ａそれぞれに、内線送受信による送受信を実施することを通知する。更に、ＭＳＣ２６０は、ＮｏｄｅＢ２２０ｂには、内線送受信に使用する内線送受信サーバ２３０ｂのＩＰアドレスを、ＮｏｄｅＢ２２０ａには、内線送受信に使用する内線送受信サーバ２３０ａのＩＰアドレスを、それぞれ通知する（Ｓ３１０）、（Ｓ３１１）。
【０００９】
以上の処理により、ＭＳ２１０ａとＭＳ２１０ｂとの間で通信が開始される（Ｓ３１２）。通信開始後、通信元のＭＳ２１０ａは、ＮｏｄｅＢ２２０ａにユーザデータを送信する（Ｓ３１３）。ＮｏｄｅＢ２２０ａは、受信したユーザデータを内線送受信サーバ２３０ａのＩＰアドレスなどを用いてカプセル化し、内線送受信サーバ２３０ａへ送信する（Ｓ３１４）。
【００１０】
内線送受信サーバ２３０ａは、受信したユーザデータをディカプセル化し、内線送受信サーバ２３０ｂのＩＰアドレスなどを用いてカプセル化し、カプセル化後のユーザデータを内線送受信サーバ２３０ｂへ送信する（Ｓ３１５）。ステップＳ３１５では、ユーザデータは、ＲＮＣ２４０ａ、２４０ｂ、ＭＳＣ２６０を経由せずに送信される。
【００１１】
内線送受信サーバ２３０ｂは、受信したユーザデータをディカプセル化し、ＮｏｄｅＢ２２０ｂのＩＰアドレスなどを用いてカプセル化し、カプセル化後のユーザデータをＮｏｄｅＢ２２０ｂへ送信する（Ｓ３１６）。ＮｏｄｅＢ２２０ｂは、受信したユーザデータをディカプセル化し、ＭＳ２１０ｂへ送信する（Ｓ３１７）。
【００１２】
よって、移動通信システム２００において内線送受信によりユーザデータを送受信した場合のユーザデータの経路Ｄは、図１２に示すようになる。ユーザデータは、ＭＳＣ２６０を経由せずに、ＭＳ２１０ａ、ＮｏｄｅＢ２２０ａ、内線送受信サーバ２３０ａ、内線送受信サーバ２３０ｂ、ＮｏｄｅＢ２２０ｂ、ＭＳ２１０ｂを経由する経路Ｄにより、送受信される。
【００１３】
即ち、通信元のＭＳ２１０ａと、通信先のＭ２１０ｂがそれぞれ、異なる内線送受信サーバ２３０ａ、２３０ｂとユーザデータを送受信可能なＮｏｄｅＢ２２０ａ、２２０ｂに接続している場合、通信元のＭＳ２１０ａと接続する通信元のＮｏｄｅＢ２２０ａが、通信元のＭＳ２１０ａから送信されたユーザデータを受信し、ＭＳＣ２６０を介さずに、通信元のＮｏｄｅＢ２２０ａとユーザデータの送受信が可能な通信元の内線送受信サーバ２３０ａに送信し、通信元の内線送受信サーバ２３０ａは、通信元のＮｏｄｅＢ２２０ａからユーザデータを受信し、通信先のＭＳ２１０ｂと接続する通信先のＮｏｄｅＢ２２０ｂとユーザデータの送受信が可能な通信先の内線送受信サーバ２３０ｂに送信し、通信先の内線送受信サーバ２３０ｂは、通信元の内線送受信サーバ２３０ａからユーザデータを受信し、通信先のＮｏｄｅＢ２２０ｂに送信し、通信先のＮｏｄｅＢ２２０ｂは、通信先の内線送受信サーバ２３０ｂからユーザデータを受信し、通信先のＭＳ２２０ｂへ送信する。よって、通信元のＭＳ２１０ａから送信されたデータは、無線アクセスネットワーク２５０ａ、２５０ｂ内の経路Ｄを経由して、通信先のＭＳ２１０ｂに到達する。
【特許文献１】特願２００３−１６１２５４号（「００８５」〜「０１１９」段落、図１３、１４）
【発明の開示】
【発明が解決しようとする課題】
【００１４】
上記のように、従来の移動通信システムにおいては、各ＭＳ２１０ａ、２１０ｂは、それぞれ異なるＮｏｄｅＢ２２０ａ、２２０ｂに収容され、各ＮｏｄｅＢ２２０ａ、２２０ｂを制御するＲＮＣ２４０ａ、２４０ｂの管理下で使用する内線送受信サーバ２３０ａ、２３０ｂが異なっている場合、図１２のように、複数の内線送受信サーバ２３０ａ、２３０ｂを経由してユーザデータを転送しなければならなかった。このため、ユーザデータの転送遅延が増大するという問題があった。又、音声などのリアルタイムデータを転送する際の遅延揺らぎ対応処理やデータの秘匿処理を、転送に関わる各内線送受信サーバ２３０ａ、２３０ｂで行う必要があり、内線送受信サーバ２３０ａ、２３０ｂの処理負荷増大とそれに伴う内線送受信サーバ２３０ａ、２３０ｂのコスト増大に繋がっていた。
【００１５】
又、通信先のＭＳ２１０ｂに着呼をかける前に、通信元であるＭＳ２１０ａ側の内線送受信サーバ２３０ａのリソースを確保しておく必要があり、このように、リソースを早期に取得すると、内線送受信サーバ２３０ａのリソースが無駄に確保されるという問題があった。
【００１６】
そこで、上記の問題に鑑み、本発明は、ユーザデータの転送遅延を短縮し、内線送受信サーバの処理負荷軽減、それに伴うコスト低減を実現することができる移動通信システム、内線送受信装置、無線基地局装置、無線制御装置及び移動交換局を提供することを目的とする。
【課題を解決するための手段】
【００１７】
上記目的を達成するため、本発明の第１の特徴は、第１の無線制御装置の管理下にあり、第１の移動局装置から受信したユーザデータに所定の内線送受信装置のアドレスを付与する第１の無線基地局装置と、第１の無線制御装置、あるいは、第１の無線制御装置とは異なる第２の無線制御装置の管理下にあり、第１の基地局装置から受信したユーザデータに、第２の無線制御装置の管理下にある第２の無線基地局装置のアドレスを付与する内線送受信装置とを備える移動通信システムであることを要旨とする。ここで、「内線送受信装置」とは、例えば、内線送受信サーバを指すが、内線送受信装置の機能を有する無線基地局装置や無線制御装置、その他の装置を含んでもよい。又、「アドレスを付与する」とは、パケットデータを宛先アドレスによってカプセル化することや、音声データをパケット生成する際に、宛先アドレスを含むＩＰヘッダーを作成することなどを含む。
【００１８】
第１の特徴に係る移動通信システムによると、複数の内線送受信装置の中で、一の内線送受信装置が処理を行うことにより、ユーザデータの転送遅延を短縮し、他の内線送受信装置の処理負荷軽減、それに伴うコスト低減を実現することができる。
【００１９】
又、第１の特徴に係る移動通信システムにおいて、第１の無線制御装置の管理下に第１の内線送受信装置を、第２の無線制御装置の管理下に第２の内線送受信装置を備える移動通信システムであって、第１の無線基地局装置は、ユーザデータに、移動交換局によって選択された第１の内線送受信装置、あるいは、第２の内線送受信装置のアドレスを付与してもよい。この移動通信システムによると、移動交換局が任意に一の内線送受信装置を選択することができる。
【００２０】
又、第１の特徴に係る移動通信システムにおいて、第１の移動局装置から送信されるユーザデータと、第２の移動局装置が受信するユーザデータの形式が異なる場合、内線送受信装置は、第１の移動局装置から送信されたユーザデータを、第２の移動局装置が受信するユーザデータ形式に変換するデータ変換部を備えてもよい。この移動通信システムによると、データの秘匿化などのため、通信元の移動局装置−無線基地局装置間と、通信先の移動局装置−無線基地局装置間のデータ形式を変更することができる。又、データの秘匿処理などを、一つの内線送受信サーバのみで行えば良いため、他の内線送受信サーバの処理負荷軽減とそれに伴う内線サーバコスト低減を実現できる。
【００２１】
又、第１の特徴に係る移動通信システムにおいて、第１の移動局装置、第２の移動局装置、第１の無線基地局装置、第２の無線基地局装置、内線送受信装置、移動交換局の相互間におけるデータの送受信は、コネクションレス型の通信で行ってもよい。この移動通信システムによると、移動通信システムの構築や拡張が容易となる。更に、移動通信システムは、装置間の通信路や装置自体に障害が発生した際に、容易に障害発生部分を迂回することができ、信頼性を向上できる。
【００２２】
本発明の第２の特徴は、第１の無線アクセスネットワークを構築し、内線送受信制御データに、第１の無線アクセスネットワークとは異なる第２の無線アクセスネットワークを構築する第２の無線制御装置の管理下にある第２の内線制御装置のアドレスを付与する第１の無線制御装置と、内線送受信制御データを受信する第２の内線送受信装置とを備える移動通信システムであることを要旨とする。
【００２３】
第２の特徴に係る移動通信システムによると、無線制御装置が内線送受信制御データに基づいて内線送受信装置を管理することができる。
【００２４】
本発明の第３の特徴は、第１の無線アクセスネットワークを構築し、内線送受信制御データに、第１の無線アクセスネットワークとは異なる第２の無線アクセスネットワークを構築する第２の無線制御装置のアドレスを付与する第１の無線制御装置と、第２の無線制御装置の管理下にあり、第２の無線制御装置を介して、内線送受信制御データを受信する第２の内線送受信装置とを備える移動通信システムであることを要旨とする。
【００２５】
第３の特徴に係る移動通信システムによると、無線制御装置が直接内線送受信装置に内線送受信制御データを送受信することにより、内線送受信制御データの経路短絡化や回線使用料の低下を図ることができる。
【００２６】
本発明の第４の特徴は、第１の無線制御装置の管理下にあり、第１の移動局装置から受信したユーザデータに所定の内線送受信装置のアドレスを付与する第１の無線基地局装置を備える移動通信システムに用いられる内線送受信装置であって、第１の無線制御装置、あるいは、第１の無線制御装置とは異なる第２の無線制御装置の管理下にあり、第１の無線基地局装置から受信したユーザデータに、第２の無線制御装置の管理下にある第２の無線基地局装置のアドレスを付与する内線送受信装置であることを要旨とする。
【００２７】
第４の特徴に係る内線送受信装置によると、複数の内線送受信装置の中で、一の内線送受信装置が処理を行うことにより、ユーザデータの転送遅延を短縮し、他の内線送受信装置の処理負荷軽減、それに伴うコスト低減を実現することができる。
【００２８】
又、第４の特徴に係る内線送受信装置は、第１の移動局装置から送信されるユーザデータと、第２の移動局装置が受信するユーザデータの形式が異なる場合、内線送受信装置は、第１の移動局装置から送信されたユーザデータを、第２の移動局装置が受信するユーザデータ形式に変換するデータ変換部を更に備えてもよい。ここで「データ変換部」とは、例えば、内線送受信サーバのユーザデータ処理部を指す。この内線送受信装置によると、データの秘匿化などのため、通信元の移動局装置−無線基地局装置間と、通信先の移動局装置−無線基地局装置間のデータ形式を変更することができる。又、データの秘匿処理などを、一つの内線送受信サーバのみで行えば良いため、他の内線送受信サーバの処理負荷軽減とそれに伴う内線サーバコスト低減を実現できる。
【００２９】
本発明の第５の特徴は、第１の無線制御装置の管理下にある第１の無線基地局装置であって、第１の移動局装置から受信したユーザデータに、第１の無線制御装置とは異なる第２の無線制御装置の管理下にある第２の無線基地局装置のアドレスを付与する無線基地局装置であることを要旨とする。
【００３０】
第５の特徴に係る無線基地局装置は、上述した内線送受信装置の有する機能を内蔵するので、内線送受信装置を設置せずに、ユーザデータの転送遅延を短縮し、他の内線送受信装置の処理負荷軽減、それに伴うコスト低減を実現することができる。
【００３１】
本発明の第６の特徴は、第１の無線アクセスネットワークを構築する第１の無線制御装置であって、管理下にある第１の基地局装置を介して第１の移動局装置から受信したユーザデータに、第１の無線制御装置とは異なる第２の無線制御装置の管理下にある第２の無線基地局装置のアドレスを付与することを特徴とする無線制御装置であることを要旨とする。
【００３２】
第６の特徴に係る無線制御装置は、上述した内線送受信装置の有する機能を内蔵するので、内線送受信装置を設置せずに、ユーザデータの転送遅延を短縮し、他の内線送受信装置の処理負荷軽減、それに伴うコスト低減を実現することができる。
【００３３】
本発明の第７の特徴は、第１の無線制御装置の管理下にある第１の内線送受信装置と、第２の無線制御装置の管理下にある第２の内線送受信装置と、第１の無線制御装置の管理下にあり、第１の移動局装置から受信したユーザデータに所定の内線送受信装置のアドレスを付与する第１の無線基地局装置と、第１の無線基地局装置から受信したユーザデータに、第２の無線制御装置の管理下にある第２の無線基地局装置のアドレスを付与する所定の内線送受信装置とを備える移動通信システムに用いられる移動交換局であって、所定の内線送受信装置として、第１の内線送受信装置、あるいは、第２の内線送受信装置のいずれかを選択する内線送受信装置選択部を備える移動交換局を備える移動交換局であることを要旨とする。
【００３４】
ここで、「内線送受信装置選択部」とは、例えば、ＭＳＣの内線送受信判断部を指す。
【００３５】
第７の特徴に係る移動局装置によると、内線送受信装置のトラヒック状況や処理能力などに基づいて、最も適切な内線送受信装置を選択することができる。
【発明の効果】
【００３６】
本発明によると、ユーザデータの転送遅延を短縮し、内線送受信サーバの処理負荷軽減、それに伴うコスト低減を実現することができる移動通信システム、内線送受信装置、無線基地局装置、無線制御装置及び移動交換局を提供することができる。 
【発明を実施するための最良の形態】
【００３７】
次に、図面を参照して、本発明の実施の形態を説明する。以下の図面の記載において、同一又は類似の部分には、同一又は類似の符号を付している。ただし、図面は模式的なものであることに留意すべきである。
【００３８】
（移動通信システム）
本発明の実施の形態に係る移動通信システム１００では、図１に示すように、無線アクセスネットワーク５０ａ、５０ｂ間でユーザデータを送受信する内線送受信において、無線アクセスネットワーク５０ａに在圏するＭＳ１０ａと、無線アクセスネットワーク５０ｂに在圏するＭＳ１０ｂとの間で送受信されるユーザデータを、一の内線送受信サーバ３０ｂを用いることにより、無線アクセスネットワーク５０の外にあるＭＳＣ６０を介さずに送受信する。
【００３９】
移動通信システム１００は、ＭＳ１０ａ、１０ｂと、３ＧＰＰに準拠した無線アクセスネットワーク５０ａ、５０ｂと、コアネットワーク８０とを備える。移動通信システム１００では、複数の無線アクセスネットワーク２５０ａ、２５０ｂが、移動通信システム１００における無線アクセスネットワークを形成している。無線アクセスネットワーク５０ａは、ＮｏｄｅＢ２０ａと、内線送受信サーバ３０ａと、ＲＮＣ４０ａとを備える。無線アクセスネットワーク５０ｂは、ＮｏｄｅＢ２０ｂと、内線送受信サーバ３０ｂと、ＲＮＣ４０ｂとを備える。コアネットワーク８０は、ＭＳＣ６０と、ＨＬＲ７０とを備える。無線アクセスネットワーク５０ａ、５０ｂ間はルータ９０ａ、９０ｂを介して接続される。
【００４０】
ＭＳ１０ａ、１０ｂは、無線基地局装置と無線を介してデータを送受信する無線通信を行う移動局装置である。ＭＳ１０ａ、１０ｂはそれぞれ、ＮｏｄｅＢ２０ａ、２０ｂと無線を介して接続し、ＮｏｄｅＢ２０ａ、２０ｂの配下に存在する。そして、ＭＳ１０ａ、１０ｂはそれぞれ、ＮｏｄｅＢ２０ａ、２０ｂと、ユーザデータ及び制御データを送受信する。尚、１つのＮｏｄｅＢに複数のＭＳが接続してもよい。又、各ＭＳ１０ａ、１０ｂは、データの送信と受信の両方を行ってもよく、データの送信だけを行ったり、データの受信だけを行ったりしてもよい。
【００４１】
無線アクセスネットワーク５０は、ＭＳＣ６０を備えるコアネットワーク８０と、ＭＳ１０ａ、１０ｂとの間のデータを中継する。無線アクセスネットワーク５０は、Ｎｏｄｅｂ２０ａ、２０ｂと、ＲＮＣ４０ａ、４０ｂとを用いて、コアネットワーク８０と、ＭＳ１０ａ、１０ｂとの間のデータを中継する。
【００４２】
ＮｏｄｅＢ２０ａ、２０ｂは、ＭＳ１０ａ、１０ｂと無線を介してデータを送受信する無線通信を行う無線基地局装置である。ＮｏｄｅＢ２０ａ、２０ｂはそれぞれ、ＭＳ１０ａ、１０ｂと無線を介して接続する。又、ＮｏｄｅＢ２０ａ、２０ｂはそれぞれ、ＲＮＣ４０ａ、４０ｂと接続する。更に、ＮｏｄｅＢ２０ａ、２０ｂは、内線送受信サーバ３０ａ、３０ｂと接続する。そして、ＮｏｄｅＢ２０ａ、２０ｂはそれぞれ、ＭＳ１０ａ、１０ｂ、ＲＮＣ４０ａ、４０ｂと、ユーザデータ及び制御データを送受信する。尚、制御データには、ＭＳ１０ａ、１０ｂ間で送受信される移動局制御データと、内線送受信に関する制御データ（以下、「内線送受信制御データ」という）がある。又、ＮｏｄｅＢ２０ａ、２０ｂは、内線送受信サーバ３０と、ユーザデータを送受信する。尚、１つのＲＮＣに複数のＮｏｄｅＢが配置されてもよい。又、１つのＮｏｄｅＢに複数の内線送受信サーバが接続していてもよい。
【００４３】
図２に示すように、ＮｏｄｅＢ２０ａは、無線送受信部２１と、対ＲＮＣインターフェース２２と、対内線送受信サーバインターフェース２３と、制御信号処理部２４と、ユーザデータ処理部２５とを備える。無線送受信部２１は、ＭＳ１０ａと無線を介してユーザデータや移動局制御データを送受信する無線通信を行う。無線送受信部２１は、アンテナ２１ａと接続し、アンテナ２１ａを介してＭＳ１０ａと無線通信を行う。対ＲＮＣインターフェース２２は、ＲＮＣ４０ａとユーザデータや制御データを送受信する。対ＲＮＣインターフェース２２は、ＭＳＣ６０を介して、ＭＳ１０ａ、１０ｂ間で送受信される移動局制御データを送受信する制御データ送受信部として機能する。対内線送受信サーバインターフェース２３は、内線送受信サーバ３０ｂと、ユーザデータを無線アクセスネットワーク５０内、あるいは、異なる無線アクセスネットワーク５０間でデータを送受信する内線送受信により、送受信するユーザデータ送受信部である。
【００４４】
制御信号処理部２４は、無線送受信部２１、対ＲＮＣインターフェース２２、対内線送受信サーバインターフェース２３が送受信する制御データを処理する。具体的には、制御信号処理部２４は、無線送受信部２１が受信した移動局制御データを、無線送受信部２１から取得し、対ＲＮＣインターフェース２２に入力する。制御信号処理部２４は、対ＲＮＣインターフェース２２が受信した移動局制御データを、対ＲＮＣインターフェース２２から取得し、無線送受信部２１に入力する。
【００４５】
更に、制御信号処理部２４は、対ＲＮＣインターフェース２２や対内線送受信サーバインターフェース２３が受信した内線送受信制御データを、対ＲＮＣインターフェース２２や対内線送受信サーバインターフェース２３から取得する。そして、制御信号処理部２４は、取得した内線送受信制御データに基づいて、ユーザデータ処理部２５を制御する。内線送受信制御データには、例えば、内線送受信によるユーザデータの送受信の実施の通知、内線送受信に用いる内線送受信サーバ３０ｂのＩＰアドレスの通知、ユーザデータを内線送受信により送受信するか否かを判断するための情報（以下「判断情報」という）、判断情報の要求などが含まれる。よって、例えば、制御信号処理部２４は、ユーザデータ処理部２５に、通知されたＩＰアドレスの内線送受信サーバ３０ｂを用いて、ユーザデータを内線送受信により送受信するよう指示をする。又、制御信号処理部２４は、内線送受信制御データを生成し、対ＲＮＣインターフェース２２や対内線送受信サーバインターフェース２３に入力する。
【００４６】
ユーザデータ処理部２５は、無線送受信部２１、対内線送受信サーバインターフェース２３が送受信するユーザデータを処理する。具体的には、ユーザデータ処理部２５は、無線送受信部２１が受信したユーザデータを、無線送受信部２１から取得する。そして、ユーザデータ処理部２５は、制御信号処理部２４の制御に従って、取得したユーザデータを対ＲＮＣインターフェース２２又は対内線送受信サーバインターフェース２３のいずれかに入力する。
【００４７】
ユーザデータ処理部２５は、制御信号処理部２４から、内線送受信により送受信するよう指示を受けた場合には、まず、ユーザデータを、通知された内線送受信サーバ３０ｂのＩＰアドレスなどを用いてカプセル化する。その後、ユーザデータ処理部２５は、対内線送受信サーバインターフェース２３に、ユーザデータを入力する。ＮｏｄｅＢ２０ａは、図１に示すように、割り当てられた無線チャネル、内線送受信サーバＩＰアドレス、ＵＤＰポート番号の対応関係を示すテーブルを有する。例えば、無線チャネルＣによって、ＭＳ１０ａがＮｏｄｅＢ２０ａと接続した場合は、内線送受信サーバＩＰアドレス２５５．２５５．２５５．２を付与したユーザデータを送信する。又、ＵＤＰポート番号は１となり、ＮｏｄｅＢ２０ａは、ＩＰアドレスとＵＤＰポート番号の組み合わせにより、セッションを管理する。
【００４８】
一方、ユーザデータ処理部２５は、制御信号処理部２４から、内線送受信により送受信するよう指示を受けない間は、対ＲＮＣインターフェース２２に、ユーザデータを入力する。
【００４９】
このように、制御信号処理部２４及びユーザデータ処理部２５は、無線送受信部２１が受信したデータが移動局制御データの場合には、対ＲＮＣインターフェース２２に入力したり、無線送受信部２１が受信したデータがユーザデータの場合には、内線送受信によるユーザデータの送受信の実施の通知に基づいて、対内線送受信サーバインターフェース２３に入力したりすることにより、ＭＳ１０ａから受信したデータに基づいて、対内線送受信サーバインターフェース２３と対ＲＮＣインターフェース２２が行うデータの送信を制御する送信制御部として機能する。
【００５０】
又、ユーザデータ処理部２５は、対ＲＮＣインターフェース２２や対内線送受信サーバインターフェース２３が受信したユーザデータを、対ＲＮＣインターフェース２２や対内線送受信サーバインターフェース２３から取得し、無線送受信部２１に入力する。尚、ＮｏｄｅＢ２０ｂも、ＮｏｄｅＢ２０ａと同様の構成を備える。ＮｏｄｅＢ２０ｂの場合、無線送受信部２１は、ＭＳ１０ｂとユーザデータや制御データを送受信する。又、対ＲＮＣインターフェース２２は、ＲＮＣ４０ｂとユーザデータや制御データを送受信する。
【００５１】
内線送受信サーバ３０ａ、３０ｂは、ＭＳ１０ａ、１０ｂ間で送受信されるユーザデータを、無線アクセスネットワーク５０ａ、５０ｂ間でデータを送受信する内線送受信により、ＮｏｄｅＢ２０ａ、２０ｂと送受信する内線送受信装置である。内線送受信サーバ３０ａ、３０ｂは、図１に示すように、無線アクセスネットワーク５０ａ、５０ｂ内で、それぞれＮｏｄｅＢ２０ａ、２０ｂ、ＲＮＣ４０ａ、４０ｂと接続されている。そして、内線送受信サーバ３０ａ、３０ｂは、ＮｏｄｅＢ２０ａ、２０ｂと、ユーザデータ及び内線送受信制御データを送受信する。内線送受信サーバ３０は、ＲＮＣ４０ａ、４０ｂと、内線送受信制御データを送受信する。
【００５２】
又、本発明の実施の形態において、内線送受信を行う際は、一つの内線送受信サーバによって、ユーザデータが送受信される。即ち、ＭＳＣ６０によって、無線アクセスネットワーク５０ａ、５０ｂ内に存在する内線送受信サーバのうち、一つの内線送受信サーバが決定され、この一つの内線送受信サーバがユーザデータの送受信を行う。図１において、内線送受信サーバ３０ｂによってユーザデータの送受信が行われるとすると、ユーザデータは、内線送受信サーバ３０ａを経由せずに、ＭＳ２１０ａ、ＮｏｄｅＢ２２０ａ、ルータ９０ａ、ルータ９０ｂ、内線送受信サーバ３０ｂ、ＮｏｄｅＢ２０ｂ、ＭＳ１０ｂを経由する経路Ａにより、送受信される。
【００５３】
図３に示すように、内線送受信サーバ３０ｂは、対ＮｏｄｅＢインターフェース３１と、対ＲＮＣインターフェース３２と、制御信号処理部３３と、ユーザデータ処理部３４とを備える。対ＮｏｄｅＢインターフェース３１は、ＭＳ１０ａ、１０ｂ間で送受信されるユーザデータを、無線アクセスネットワーク５０内、あるいは、異なる無線アクセスネットワーク５０間でデータを送受信する内線送受信により、ＮｏｄｅＢ２０ａ、２０ｂと送受信する基地局送受信部である。対ＮｏｄｅＢインターフェース３１は、ＮｏｄｅＢ２０ａ、ＮｏｄｅＢ２０ｂと、ユーザデータや内線送受信制御データを送受信する。対ＲＮＣインターフェース３２は、ＲＮＣ４０ａ、４０ｂと内線送受信制御データを送受信する。
【００５４】
制御信号処理部３３は、対ＮｏｄｅＢインターフェース３１、対ＲＮＣインターフェース３２が送受信する内線送受信制御データを処理する。例えば、制御信号処理部３３は、対ＲＮＣインターフェース３２が受信した内線送受信制御データを、対ＲＮＣインターフェース３２から取得する。制御信号処理部３３は、取得した内線送受信制御データに基づいて、ユーザデータ処理部３４を制御する。例えば、制御信号処理部３３は、ＭＳ１０ａ、１０ｂ間で送受信されるユーザデータについて、内線送受信による送受信の実施の通知を取得した場合、ユーザデータ処理部３４に、ＭＳ１０ａと接続するＮｏｄｅＢ２０ａから受信したＭＳ１０ａが通信元、ＭＳ１０ｂが通信先であるユーザデータは、ＭＳ１０ｂと接続するＮｏｄｅＢ２０ｂへ送信するように指示する。又、制御信号処理部３３は、ユーザデータ処理部３４に、ＭＳ１０ｂと接続するＮｏｄｅＢ２０ｂから受信したＭＳ１０ｂが通信元、ＭＳ１０ａが通信先であるユーザデータは、ＭＳ１０ａと接続するＮｏｄｅＢ２０ａへ送信するように指示する。このようにして、制御信号処理部３３は、ユーザデータ処理部３４に、ユーザデータを内線送受信により送受信するよう指示をする。又、制御信号処理部３３は、内線送受信制御データを生成し、対ＮｏｄｅＢインターフェース３１や対ＲＮＣインターフェース３２に入力する。
【００５５】
ユーザデータ処理部３４は、対ＮｏｄｅＢインターフェース３１が行うユーザデータの送受信を制御する。ユーザデータ処理部３４は、制御信号処理部３３の制御に従って、対ＮｏｄｅＢインターフェース３１に対して、通信元のＭＳ１０ａ、１０ｂに接続するＮｏｄｅＢ２０ａ、２０ｂから受信したユーザデータを、通信先のＭＳ１０ｂ、１０ａに接続するＮｏｄｅＢ２０ｂ、２０ａへ送信するように指示する。具体的には、ユーザデータ処理部３４は、対ＮｏｄｅＢインターフェース３１から、受信したユーザデータを取得する。
【００５６】
ユーザデータ処理部３４は、受信パケットのヘッダに含まれる宛先識別情報を取得する。宛先識別情報には、例えば、受信パケット内の宛先ＵＤＰポート番号、ＮｏｄｅＢ２０ａ、２０ｂのＩＰアドレス、ＭＳ１０ａ、１０ｂのＩＰアドレス、ＭＳ１０ａ、１０ｂを利用するユーザのユーザＩＤ、移動局ＩＤなどが含まれる。
【００５７】
ユーザデータ処理部３４は、取得した宛先識別情報と、制御信号処理部３３からの指示とに基づいて、受信したユーザデータを送信するＮｏｄｅＢを判断する。そして、ユーザデータ処理部３４は、その判断結果に基づいて、受信パケットのヘッダを変換し、対ＮｏｄｅＢインターフェース３１に入力する。具体的には、内線送受信サーバ３０ｂは、図１に示すように、受信パケット内の宛先ＵＤＰポート番号、受信パケット内の宛先ＩＰアドレス、送信パケット内の宛先ＵＤＰポート番号の対応関係を示すテーブルを有する。例えば、受信パケットのヘッダに含まれるＵＤＰポート番号が１である場合は、このテーブルを参照することにより、宛先ＩＰアドレス２５５．２５５．２５５．１１（図１では、ＮｏｄｅＢ２０ｂのＩＰアドレス）、宛先ＵＤＰポート番号１を用いて、受信パケットのヘッダを変換する。
【００５８】
又、データを秘匿するため、通信元のＭＳ１０ａから送信されるユーザデータと、通信先のＭＳ１０ｂへ送信するユーザデータの形式は異なるデータ形式とすることがある。このとき、ユーザデータ処理部３４は、通信元のＭＳ１０ａから送信されたユーザデータを、通信先のＭＳ１０ｂに該当するユーザデータ形式にデータ変換を行う。
【００５９】
ＲＮＣ４０ａ、４０ｂは、ＭＳ１０ａ、１０ｂとＮｏｄｅＢ２０ａ、２０ｂとが行う無線通信を制御する無線制御装置である。ＲＮＣ４０ａ、４０ｂは、図１に示すように、内線送受信サーバ３０ａ、３０ｂ、ＭＳＣ６０と接続する。ＲＮＣ４０ａ、４０ｂはそれぞれ、ＮｏｄｅＢ２０ａ、２０ｂと接続する。そして、ＲＮＣ４０ａ、４０ｂは、ＭＳＣ６０、ＮｏｄｅＢ２０ａ、２０ｂと、ユーザデータ及び制御データを送受信する。又、ＲＮＣ４０ａ、４０ｂは、内線送受信サーバ３０ａ、３０ｂと、内線送受信制御データを送受信する。即ち、ＲＮＣ４０ａは、ＲＮＣが管理する無線アクセスネットワーク５０ａ内にない内線送受信サーバ３０ｂとも、内線送受信制御データを交換することができる。このとき、ＲＮＣ４０ａは、内線送受信サーバ３０ｂへ直接内線送受信制御データを送信することも可能であり（図１の経路Ｂ）、ＲＮＣ４０ｂを介して送信することも可能である（図１の経路Ｃ）。尚、１つのＭＳＣ６０に多数のＲＮＣが配置されてもよい。
【００６０】
図４に示すように、ＲＮＣ４０ａは、対ＮｏｄｅＢインターフェース４１と、対内線送受信サーバインターフェース４２と、対ＭＳＣインターフェース４３と、制御信号処理部４４と、ユーザデータ処理部４５と、対ＲＮＣインターフェース４６とを備える。対ＮｏｄｅＢインターフェース４１は、ＮｏｄｅＢ２０ｂと、ユーザデータや制御データを送受信する。対内線送受信サーバインターフェース４２は、内線送受信サーバ３０ｂと、内線送受信制御データを送受信する。対ＭＳＣインターフェース４３は、ＭＳＣ６０と、ユーザデータや制御データを送受信する。
【００６１】
制御信号処理部４４は、対ＮｏｄｅＢインターフェース４１、対内線送受信サーバインターフェース４２、対ＭＳＣインターフェース４３が送受信する制御データを処理する。具体的には、制御信号処理部４４は、対ＮｏｄｅＢインターフェース４１が受信した制御データを、対ＮｏｄｅＢインターフェース４１から取得し、ＭＳＣインターフェース４３に入力する。制御信号処理部４４は、対内線送受信制御サーバインターフェース４２が受信した内線送受信制御データを、対内線送受信制御サーバインターフェース４２から取得し、ＭＳＣインターフェース４３に入力する。
【００６２】
制御信号処理部４４は、対ＭＳＣインターフェース４３が受信した移動局制御データと、ＮｏｄｅＢ２０ｂに対する内線送受信制御データを、対ＭＳＣインターフェース４３から取得し、対ＮｏｄｅＢインターフェース４１に入力する。又、制御信号処理部４４は、対ＭＳＣインターフェース４３が受信した内線送受信サーバ３０ｂに対する内線送受信制御データを、対ＭＳＣインターフェース４３から取得し、対内線送受信サーバインターフェース４２に入力する。尚、制御信号処理部４４は、内線送受信制御データを、直接内線送受信サーバ３０ｂへ送信してもよく、内線送受信サーバ３０ｂを管理するＲＮＣ４０ｂを介して内線送受信サーバ３０ｂへ送信してもよい。尚、ＲＮＣ４０ａは、図１に示すように、ＭＳＣ６０から通知された、内線送受信サーバ名とＩＰアドレスを対応付けたテーブルを有するので、内線送受信サーバと、制御データ及びユーザデータを送受信することができる。
【００６３】
又、制御信号処理部４４は、ＭＳ１０ｂとＮｏｄｅＢ２０ｂとが行う無線通信を制御する通信制御部としても機能する。制御信号処理部４４は、ＮｏｄｅＢ２０ｂを制御することにより、無線通信を制御する。具体的には、制御信号処理部４４は、ＭＳ１０ｂとＮｏｄｅＢ２０ｂとがデータを送受信するための無線チャネルを割り当てる。制御信号処理部４４は、その割り当てや無線リソースの使用状況を管理する。又、制御信号処理部４４は、ハンドオーバの制御などを行う。制御信号処理部４４は、無線チャネルの割り当てに関する情報など、無線通信の制御に関する情報を、制御データとして、対ＮｏｄｅＢインターフェース４１を介して、ＮｏｄｅＢ２０ｂと送受信する。尚、制御信号処理部４４は、複数のＮｏｄｅＢがＲＮＣ４０ａに接続する場合には、複数のＮｏｄｅＢが行う無線通信を制御する。
【００６４】
ユーザデータ処理部４５は、対ＮｏｄｅＢインターフェース４１、対ＭＳＣインターフェース４３が送受信するユーザデータを処理する。具体的には、ユーザデータ処理部４５は、対ＮｏｄｅＢインターフェース４１が受信したユーザデータを、対ＮｏｄｅＢインターフェース４１から取得し、対ＭＳＣインターフェース４３に入力する。又、ユーザデータ処理部４５は、対ＭＳＣインターフェース４３が受信したユーザデータを、対ＭＳＣインターフェース４３から取得し、対ＮｏｄｅＢインターフェース４１に入力する。
【００６５】
対ＲＮＣインターフェース４６は、異なる無線アクセスネットワークにある内線送受信サーバ３０ｂへ内線送受信制御データを送信する際、内線送受信サーバ３０ｂを管理するＲＮＣ４０ｂへ内線送受信制御データを送信する。そして、ＲＮＣ４０ｂが、内線送受信サーバ３０ｂへ内線送受信制御データを送信する。
【００６６】
尚、ＲＮＣ４０ｂも、ＲＮＣ４０ａと同様の構成を備える。ＲＮＣ４０ｂの場合、対ＮｏｄｅＢインターフェース４１は、ＮｏｄｅＢ２０ｂとユーザデータや制御データを送受信する。又、制御信号処理部４４は、ＮｏｄｅＢ２０ｂを制御することにより、ＭＳ１０ｂとＮｏｄｅＢ２０ｂとが行う無線通信を制御する。
【００６７】
ＭＳＣ６０は、ＭＳ１０ａ、１０ｂ間で送受信されるユーザデータ及び制御データを、コアネットワーク８０において送受信する移動交換局である。又、ＭＳＣ６０は、ＭＳ１０ａ、１０ｂ間で送受信されるユーザデータを、無線アクセスネットワーク５０内、あるいは、異なる無線アクセスネットワーク５０間でデータを送受信する内線送受信により送受信するか否かを判断する制御装置としても機能する。ＨＬＲ７０は、加入者情報を保持する加入者情報データベースである。ＭＳＣ６０は、図１に示すように、ＲＮＣ４０ａ、４０ｂ、ＨＬＲ７０と接続する。そして、ＭＳＣ６０は、ＲＮＣ４０ａ、４０ｂと、ユーザデータ及び制御データを送受信する。又、ＭＳＣ６０は、ＨＬＲ７０が保持する加入者情報を参照する。尚、ＭＳＣ６０は、他のＭＳＣや、無線アクセスネットワーク５０とコアネットワーク８０以外のネットワークと接続してもよい。又、ＨＬＲ７０は、ＭＳＣ６０と接続する。
【００６８】
図５に示すように、ＭＳＣ６０は、対ＲＮＣインターフェース６１と、対ＨＬＲインターフェース６２と、制御信号処理部６３と、ユーザデータ処理部６４と、内線送受信サーバ接続情報データベース（以下「内線送受信サーバＤＢ」と表す）６５と、内線送受信判断部６６とを備える。
【００６９】
内線送受信サーバ接続情報ＤＢ６５は、ＮｏｄｅＢとユーザデータの送受信が可能な内線送受信サーバに関する内線送受信サーバ接続情報を保持する。内線送受信サーバ接続情報は、図６（ａ）に示すように、ＮｏｄｅＢと、ＮｏｄｅＢを収容するＲＮＣとの対応関係、図６（ｂ）に示すように、ＲＮＣと、ＲＮＣ管理下にある内線送受信サーバとの対応関係を示す。内線送受信サーバ接続情報ＤＢ６５は、ＮｏｄｅＢ名を格納するフィールドと、ＮｏｄｅＢを収容するＲＮＣ名を格納するフィールドと、ＲＮＣ管理下の内線送受信サーバ名を格納するフィールドと、内線送受信サーバのＩＰアドレスを格納するフィールドを備える。そして、内線送受信サーバ接続情報ＤＢ６５は、ＮｏｄｅＢ名と、ＮｏｄｅＢを収容するＲＮＣ名と、そのＲＮＣ管理下にある送受信サーバ名と、その内線送受信サーバのＩＰアドレスとを、対応付けて保持している。ＮｏｄｅＢ名、ＲＮＣ名、内線送受信サーバ名はそれぞれ、ＮｏｄｅＢ、内線送受信サーバを識別する名称である。
【００７０】
図６では、ＮｏｄｅＢ名、ＲＮＣ名、内線送受信サーバ名として、０１〜０３の数字を用いているが、ＮｏｄｅＢ名、ＲＮＣ名、内線送受信サーバ名は、内線送受信サーバを一意に識別できる宛先識別情報であれば、特に限定されない。ＲＮＣが管理する内線送受信サーバが存在しない場合には、内線送受信サーバ名のフィールドに「なし」と格納される。又、ＮｏｄｅＢ２０ａのＮｏｄｅＢ名は、「ＮｏｄｅＢ０１」であり、ＮｏｄｅＢ２０ｂのＮｏｄｅＢ名は、「ＮｏｄｅＢ０２」であり、内線送受信サーバ３０ａの内線送受信サーバ名は、「内線送受信サーバ０１」であり、内線送受信サーバ３０ｂの内線送受信サーバ名は、「内線送受信サーバ０２」である。よって、内線送受信サーバ接続情報によれば、ＮｏｄｅＢ２０ａ、２０ｂが接続している内線送受信サーバは、内線送受信サーバ３０ａ、３０ｂであり、ＭＳＣ６０の判断により、内線送受信を行うサーバとして内線送受信サーバ３０ｂが選択された場合は、そのＩＰアドレスが「２５５．２５５．２５５．２」であることが分かる。
【００７１】
このように、内線送受信サーバ接続情報は、ＮｏｄｅＢと接続している内線送受信サーバを一意に識別できると同時に、その内線送受信サーバのＩＰアドレスも認識できるようになっている。ここで、ＮｏｄｅＢに接続している内線送受信サーバとは、ＮｏｄｅＢとユーザデータの送受信が可能な内線送受信サーバをいう。そのため、ＮｏｄｅＢと接続する内線送受信サーバが配置されていない場合だけでなく、ＮｏｄｅＢと接続する内線送受信サーバが配置されているが、障害が発生していて送受信ができない場合には、ＮｏｄｅＢに接続している内線送受信サーバがないことになる。このような内線送受信サーバ接続情報によれば、ＮｏｄｅＢとユーザデータの送受信が可能な内線送受信サーバが存在するか否かを判断できる。尚、内線送受信サーバが存在しない無線アクセスネットワークもある。
【００７２】
内線送受信判断部６６は、内線送受信によりユーザデータを送受信するか否かを判断する。内線送受信判断部６６は、ユーザデータを内線送受信により送受信すると判断した場合、内線送受信に使用する内線送受信サーバを選択する。即ち、内線送受信判断部６６は、ＮｏｄｅＢがユーザデータを送受信すべき内線送受信サーバを選択する。
【００７３】
内線送受信判断部６６は、判断情報に基づいて内線送受信によりユーザデータを送受信するか否かを判断したり、内線送受信に使用する内線送受信サーバを選択したりする。内線送受信判断部６６は、ＮｏｄｅＢとユーザデータの送受信が可能な内線送受信サーバの有無を、判断情報として用いる。具体的には、内線送受信判断部６６は、制御信号処理部６３から、ユーザデータの送信を要求する通信元のＭＳが接続するＮｏｄｅＢの識別情報と、通信先のＭＳが接続するＮｏｄｅＢの識別情報を取得する。内線送受信判断部６６は、内線送受信サーバ接続情報ＤＢ６５を参照する。そして、内線送受信判断部６６は、取得したＮｏｄｅＢの識別情報に基づいて、内線送受信サーバ接続情報ＤＢ６５を検索し、ＮｏｄｅＢと接続している内線送受信サーバが存在するか否かを判断する。
【００７４】
内線送受信判断部６６は、通信元のＭＳが接続しているＮｏｄｅＢと接続している内線送受信サーバ、又は、通信先のＭＳが接続しているＮｏｄｅＢと接続している内線送受信サーバが存在する場合、その中で、一の内線送受信サーバを選択する。ＮｏｄｅＢと接続する内線送受信サーバが複数存在する場合には、内線送受信サーバのトラヒック状況や処理能力などに基づいて、選択する。本発明の実施の形態では、通信先のＭＳが接続しているＮｏｄｅＢと接続している内線送受信サーバを選択した場合について説明するが、通信元のＭＳが接続しているＮｏｄｅＢと接続している内線送受信サーバを選択してもよいことは勿論である。
【００７５】
そして、内線送受信判断部６６は、選択した内線送受信サーバのＩＰアドレスを取得する。内線送受信判断部６６は、判断結果を制御信号処理部６３に入力する。判断結果には、内線送受信によるユーザデータの送受信を行うか否かだけでなく、ＭＳＣ６０を介したユーザデータの送受信を行うといった決定や、選択した内線送受信サーバのＩＰアドレスなども含まれる。
【００７６】
対ＲＮＣインターフェース６１は、ＲＮＣ４０ａ、４０ｂと、ユーザデータや制御データを送受信する。対ＲＮＣインターフェース６１は、内線送受信制御データとして、内線送受信判断部６６による判断結果を送信し、判断結果を送信する判断結果送信部として機能する。対ＲＮＣインターフェース６１は、ＲＮＣ４０ａ、４０ｂを介して、ユーザデータの送信を要求する通信元のＭＳが接続するＮｏｄｅＢと、通信先のＭＳが接続するＮｏｄｅＢと、内線送受信サーバに、判断結果を送信する。
【００７７】
制御信号処理部６３は、対ＲＮＣインターフェース６１が送受信する制御データを処理する。具体的には、制御信号処理部６３は、対ＲＮＣインターフェース６１が受信した移動局制御データの通信先を識別する識別情報を取得する。制御信号処理部６３は、対ＨＬＲインターフェース６２に、通信先の識別情報を通知し、通信先のＭＳの加入者情報を提供するように指示する。そして、制御信号処理部６３は、対ＨＬＲインターフェース６２から、加入者情報として、通信先のＭＳに接続しているＮｏｄｅＢの識別情報を取得する。制御信号処理部６３は、取得したＮｏｄｅＢの識別情報に基づいて、対ＲＮＣインターフェース６１に、受信した移動局制御データを、取得したＮｏｄｅＢに接続するＲＮＣへ送信するように指示する。尚、制御信号処理部６３は、ＮｏｄｅＢとＲＮＣとの接続関係を予め保持している。
【００７８】
又、制御信号処理部６３は、移動局制御データが、ＭＳがユーザデータの送信を要求する発信要求の場合には、発信要求の通信元、通信先を識別する識別情報を取得する。制御信号処理部６３は、対ＨＬＲインターフェース６２に、通信元、通信先の識別情報を通知し、通信元、通信先のＭＳの加入者情報を提供するように指示する。そして、制御信号処理部６３は、対ＨＬＲインターフェース６２から、加入者情報として、通信元、通信先のＭＳに接続しているＮｏｄｅＢの識別情報を取得する。
【００７９】
制御信号処理部６３は、通信元、通信先のＭＳが接続するＮｏｄｅＢの識別情報を、内線送受信判断部６６に入力する。そして、制御信号処理部６３は、内線送受信判断部６６から、判断結果を取得する。制御信号処理部６３は、取得した判断結果を対ＲＮＣインターフェース６１に入力し、ＲＮＣ４０ａ、４０ｂを介して、発信要求の通信元のＭＳが接続するＮｏｄｅＢと、通信先のＭＳが接続するＮｏｄｅＢと、内線送受信サーバに、判断結果を送信するよう指示する。
【００８０】
ユーザデータ処理部６４は、対ＲＮＣインターフェース６１が送受信するユーザデータを処理する。具体的には、ユーザデータ処理部６４は、対ＲＮＣインターフェース６１が受信したユーザデータの通信先を識別する識別情報を取得する。ユーザデータ処理部６４は、対ＨＬＲインターフェース６２に、通信先の識別情報を通知し、通信先のＭＳの加入者情報を提供するように指示する。そして、ユーザデータ処理部６４は、対ＨＬＲインターフェース６２から、加入者情報として、通信先のＭＳに接続しているＮｏｄｅＢの識別情報を取得する。ユーザデータ処理部６４は、取得したＮｏｄｅＢの識別情報に基づいて、対ＲＮＣインターフェース６１に、受信したユーザデータを、取得したＮｏｄｅＢに接続するＲＮＣへ送信するように指示する。
【００８１】
対ＨＬＲインターフェース６２は、制御信号処理部６３やユーザデータ処理部６４の制御に従って、ＨＬＲ７０を参照する。具体的には、対ＨＬＲインターフェース６２は、制御信号処理部６３やユーザデータ処理部６４から、ＭＳの識別情報の通知を受ける。対ＨＬＲインターフェース６２は、ＨＬＲ７０に加入者情報の要求を送信する。加入者情報の要求には、通知されたＭＳの識別情報が含まれる。そして、対ＨＬＲインターフェース６２は、要求に対する加入者情報をＨＬＲ７０から受信する。対ＨＬＲインターフェース６２は、例えば、ＭＳが接続するＮｏｄｅＢの識別情報などを加入者情報として受信する。対ＨＬＲインターフェース６２は、取得した加入者情報を、制御信号処理部６３やユーザデータ処理部６４に入力する。
【００８２】
図７に示すように、ＨＬＲ７０は、対ＭＳＣインターフェース７１と、加入者情報データベース（以下「加入者情報ＤＢ」と表す）７２とを備える。加入者情報ＤＢ７２は、加入者情報を保持する。加入者情報ＤＢ７２は、加入者情報として、ＭＳと、そのＭＳが接続しているＮｏｄｅＢとの対応関係である位置登録情報、ＭＳの認証情報などの通信を行うための情報を保持する。尚、ＭＳと、そのＭＳが接続しているＮｏｄｅＢとは、例えば、ＭＳとＮｏｄｅＢの識別情報を用いて対応付けておくことができる。
【００８３】
対ＭＳＣインターフェース７１は、ＭＳＣ６０からの要求に従って、加入者情報をＭＳＣ６０に提供する。具体的には、対ＭＳＣインターフェース７１は、ＭＳＣ６０から、ＭＳの識別情報を含む加入者情報の要求を受信する。対ＭＳＣインターフェース７１は、ＭＳの識別情報に基づいて、加入者情報ＤＢ７２を検索し、該当する加入者情報を取得する。対ＭＳＣインターフェース７１は、例えば、ＭＳが接続するＮｏｄｅＢの識別情報などを加入者情報として取得する。対ＭＳＣインターフェース７１は、取得した加入者情報を、ＭＳＣ６０へ送信する。
【００８４】
尚、移動通信システム１００では、コネクションレス型の通信が行われる。そのため、全ての装置、即ち、ＭＳ１０ａ、１０ｂ、ＮｏｄｅＢ２０ａ、２０ｂ、内線送受信サーバ３０ａ、３０ｂ、ＲＮＣ４０ａ、４０ｂ、ＭＳＣ６０、ＨＬＲ７０は、コネクションレス型の通信で、データを送受信する。これによれば、移動通信システム１００の構築や拡張が容易となる。更に、移動通信システム１００は、装置間の通信路や装置自体に障害が発生した際に、容易に障害発生部分を迂回することができ、信頼性を向上できる。又、全ての装置、即ち、ＭＳ１０ａ、１０ｂ、ＮｏｄｅＢ２０ａ、２０ｂ、内線送受信サーバ３０ａ、３０ｂ、ＲＮＣ４０ａ、４０ｂ、ＭＳＣ６０、ＨＬＲ７０は、制御データを制御信号として送受信する。
【００８５】
（通信方法）
移動通信システム１００を用いた通信方法について、図８を用いて説明する。図８は、ＮｏｄｅＢ２０ａの無線ゾーンに在圏するＭＳ１０ａが通信元であり、ＮｏｄｅＢ２０ｂの無線ゾーンに在圏するＭＳ１０ｂが通信先である場合を示している。又、ここでは、ＮｏｄｅＢ２０ｂを収容するＲＮＣ２０ｂ管理下の内線送受信サーバ３０ｂのみを適用して、内線送受信を実施する場合について説明する。又、図８において送信されるユーザデータは、ｉモード（登録商標）などで使用されるパケットデータとする。
【００８６】
まず、ＭＳ１０ａが、ＮｏｄｅＢ２０ａ、ＲＮＣ４０ａを介して、ＭＳＣ６０に、ＭＳ１０ｂへのユーザデータの送信を要求する発信要求とを送信する（Ｓ１０１）。ＭＳＣ６０は、ＨＬＲ７０を参照して、通信元のＭＳ１０ａと通信先のＭＳ１０ｂがそれぞれ接続しているＮｏｄｅＢ２０ａ、２０ｂの識別情報を、加入者情報として取得する（Ｓ１０２）。これにより、ＭＳＣ６０は、ＭＳ１０ａ、１０ｂそれぞれと、ＮｏｄｅＢ２０ａ、２０ｂとが接続していることを検出する。
【００８７】
そして、ＭＳＣ６０は、ＮｏｄｅＢ２０ａ、２０ｂの識別情報に基づいて、ＮｏｄｅＢ２０ａ、２０ｂの内線送受信サーバ接続情報を参照する（Ｓ１０３）。これにより、ＭＳＣ６０は、ＭＳ１０ａが接続するＮｏｄｅＢ２０ａが内線送受信サーバ３０ａと接続し、ＭＳ１０ｂが接続するＮｏｄｅＢ２０ｂが内線送受信サーバ３０ｂと接続していることを検出する。内線送受信によるユーザデータの送受信を行うと判断したＭＳＣ６０は、複数の内線送受信サーバの中で、トラヒック状況や処理能力に基づいて、一の内線送受信サーバを選択する。ここでは、内線送受信に用いる内線送受信サーバとして、内線送受信サーバ３０ｂを選択する。
【００８８】
次に、ＭＳＣ６０は、ＲＮＣ４０ｂにＭＳ１０ｂを呼び出すよう指示する（Ｓ１０４）。ＲＮＣ４０ｂは、指示を受けてＭＳ１０ｂを呼び出し、ＭＳ１０ｂがその呼び出しに対して、ＮｏｄｅＢ２０ｂを介して応答する（Ｓ１０５）。ＲＮＣ４０ｂは、ＭＳＣ６０に、呼び出し応答を受けたことを通知する（Ｓ１０６）。
【００８９】
そして、ＭＳＣ６０は、内線送受信サーバ３０ｂに、ＭＳ１０ａ、１０ｂ間で送受信されるユーザデータについて、内線送受信による送受信を実施することを通知する。更に、ＭＳＣ６０は、内線送受信サーバ３０ｂに、ユーザデータの通信先となるＮｏｄｅＢ２０ｂのＩＰアドレスを通知する（Ｓ１０７）。
【００９０】
又、ＭＳＣ６０は、通信先のＭＳ１０ｂが接続するＮｏｄｅＢ２０ｂと、通信元のＭＳ１０ａが接続するＮｏｄｅＢ２０ａそれぞれに、内線送受信による送受信を実施することを通知する。更に、ＭＳＣ６０は、ＮｏｄｅＢ２０ｂ、ＮｏｄｅＢ２０ａに、内線送受信に使用する内線送受信サーバ３０ｂのＩＰアドレスをそれぞれ通知する（Ｓ１０８）、（Ｓ１０９）。
【００９１】
以上の処理により、ＭＳ１０ａとＭＳ１０ｂとの間で通信が開始される（Ｓ１１０）。
【００９２】
通信開始後、通信元のＭＳ１０ａは、ＮｏｄｅＢ２０ａにユーザデータを送信する（Ｓ１１１）。ＮｏｄｅＢ２０ａは、ＭＳ１０ａから受信したユーザデータを内線送受信サーバ３０ｂのＩＰアドレスなどを用いてカプセル化する（Ｓ１１２）。そして、ＮｏｄｅＢ２０ａは、カプセル化されたユーザデータを内線送受信サーバ３０ｂへ送信する（Ｓ１１３）。
【００９３】
内線送受信サーバ３０ｂは、ＮｏｄｅＢ２０ａから受信したパケットのヘッダ（ここでは、カプセル化されたユーザデータのヘッダ（以下において、「カプセルヘッダ」という。）に含まれる宛先識別情報を取得する。そして、内線送受信サーバ３０ｂは、図１に示すテーブルを参照し、受信したカプセルヘッダに含まれる宛先ＵＤＰポート番号が１である場合は、このテーブルを参照することにより、送信パケット内の宛先ＩＰアドレス２５５．２５５．２５５．１１（図１では、ＮｏｄｅＢ２０ｂのＩＰアドレス）、送信パケット内の宛先ＵＤＰポート番号１を用いて、受信パケットのヘッダを変換する（Ｓ１１４）。このとき、内線送受信サーバ３０ｂは、そのユーザデータのセキュリティなどに関するデータ形態をＭＳ１０ｂの呼に対する設定情報に基づく形態に変換する。そして、内線送受信サーバ３０ｂは、内線送受信により、ＮｏｄｅＢ２０ｂへユーザデータを送信する（Ｓ１１５）。
【００９４】
ＮｏｄｅＢ２０ｂは、内線送受信サーバ３０ｂから受信したユーザデータをディカプセル化する（Ｓ１１６）。そして、ＮｏｄｅＢ２０ｂは、ＭＳ１０ｂへユーザデータを送信する（Ｓ１１７）。
【００９５】
よって、移動通信システム１００において内線送受信によりユーザデータを送受信した場合のユーザデータの経路Ａは、図１に示すようになる。ユーザデータは、ＭＳＣ６０や内線送受信サーバ３０ａを経由せずに、ＭＳ１０ａ、ＮｏｄｅＢ２０ａ、内線送受信サーバ３０ｂ、ＮｏｄｅＢ２０ｂ、ＭＳ１０ｂを経由する経路Ａにより、送受信される。
【００９６】
即ち、通信元のＭＳ１０ａと、通信先のＭ１０ｂがそれぞれ、異なる内線送受信サーバ３０ａ、３０ｂとユーザデータを送受信可能なＮｏｄｅＢ２０ａ、２０ｂに接続している場合、通信元のＭＳ１０ａと接続する通信元のＮｏｄｅＢ２０ａが、通信元のＭＳ１０ａから送信されたユーザデータを受信し、ＭＳＣ６０や内線送受信サーバ３０ａを介さずに、通信元のＮｏｄｅＢ２０ａとユーザデータの送受信が可能な通信先の内線送受信サーバ３０ｂに送信し、通信先の内線送受信サーバ３０ｂは、通信元のＮｏｄｅＢ２０ａからユーザデータを受信し、通信先のＭＳ１０ｂと接続する通信先のＮｏｄｅＢ２０ｂに送信し、通信先のＮｏｄｅＢ２０ｂは、通信先の内線送受信サーバ３０ｂからユーザデータを受信し、通信先のＭＳ１０ｂへ送信する。よって、通信元のＭＳ１０ａから送信されたユーザデータは、無線アクセスネットワーク５０ａ、５０ｂ内の経路Ａを経由して、通信先のＭＳ１０ｂに到達する。
【００９７】
なお、上記の例では、内線送受信を実施する内線送受信サーバとして、通信先の内線送受信サーバ３０ｂを用いたが、通信元の内線送受信サーバ３０ａを用いてもよいことは勿論である。又、通信元のＭＳ１０ａ、あるいは通信先のＭＳ１０ｂが在圏しない無線アクセスネットワークに存在する内線送受信サーバを用いてもよい。内線送受信サーバの選択は、ＭＳＣ６０によって自由に決定される。
【００９８】
次に、ユーザデータとして、音声データを送信した場合の通信方法について、図９を用いて説明する。ユーザデータが音声データであること以外の条件は、図８で説明した通信方法と同じである。
【００９９】
図９のステップＳ２０１〜Ｓ２１０の処理は、図８のステップＳ１０１〜Ｓ１１０の処理と同様であるので、ここでは説明を省略する。
【０１００】
通信開始後、通信元のＭＳ１０ａは、ＮｏｄｅＢ２０ａにユーザデータを送信する（Ｓ２１１）。ＮｏｄｅＢ２０ａは、ＭＳ１０ａから受信したユーザデータを内線送受信サーバ３０ｂのＩＰアドレスを含むパケットデータとして生成する（Ｓ２１２）。そして、ＮｏｄｅＢ２０ａは、パケット生成されたユーザデータを内線送受信サーバ３０ｂへ送信する（Ｓ２１３）。
【０１０１】
内線送受信サーバ３０ｂは、ＮｏｄｅＢ２０ａから受信したパケットのヘッダ（ここでは、ユーザデータのヘッダ）に含まれる宛先識別情報を取得する。そして、内線送受信サーバ３０ｂは、図１に示すテーブルを参照し、受信パケットのヘッダに含まれる宛先ＵＤＰポート番号が１である場合は、このテーブルを参照することにより、送信パケット内の宛先ＩＰアドレス２５５．２５５．２５５．１１（図１では、ＮｏｄｅＢ２０ｂのＩＰアドレス）、送信パケット内の宛先ＵＤＰポート番号１を用いて、受信パケットのヘッダを変換する（Ｓ２１４）。このとき、内線送受信サーバ３０ｂは、そのユーザデータのセキュリティなどに関するデータ形態をＭＳ１０ｂの呼に対する設定情報に基づく形態に変換する。そして、内線送受信サーバ３０ｂは、内線送受信により、ＮｏｄｅＢ２０ｂへユーザデータを送信する（Ｓ２１５）。
【０１０２】
ＮｏｄｅＢ２０ｂは、内線送受信サーバ３０ｂから受信したユーザデータを音声データへ変換する（Ｓ２１６）。そして、ＮｏｄｅＢ２０ｂは、ＭＳ１０ｂへ変換後のユーザデータを送信する（Ｓ２１７）。
【０１０３】
又、図８及び図９において、ユーザデータの流れを示したが、ＭＳ１０ａ、１０ｂ間で送受信される移動局制御データについては、ステップＳ１１０により通信開始後、ＭＳＣ６０を介して送受信される。即ち、移動局制御データは、ＭＳ１０ａ、ＮｏｄｅＢ２０ａ、ＲＮＣ４０ａ、ＭＳＣ６０、ＲＮＣ４０ｂ、ＮｏｄｅＢ２０ｂ、ＭＳ１０ｂを経由する経路により、送受信される。
【０１０４】
又、内線送受信制御データについては、ＲＮＣ４０ａ、内線送受信サーバ３０ｂを経由する経路により受信されてもよく（図１の経路Ｂ）、ＲＮＣ４０ａ、ＲＮＣ４０ｂ、内線送受信サーバ３０ａを経由する経路により送受信されてもよい（図１の経路Ｃ）。前者の経路であると、無線制御装置が直接内線送受信装置に内線送受信制御データを送受信することにより、内線送受信制御データの経路短絡化や回線使用料の低下を図ることができる。
【０１０５】
（効果）
このような移動通信システム１００、ＮｏｄｅＢ２０ａ、２０ｂ、内線送受信サーバ３０ａ、３０ｂ、ＲＮＣ４０ａ、４０ｂ、ＭＳＣ６０及び通信方法によれば、ユーザデータを、ＮｏｄｅＢ２０ａ、２０ｂと一つの内線送受信サーバ３０ｂとの間で、内線送受信により送受信できる。詳細には、内線送受信サーバ３０ｂの対ＮｏｄｅＢインターフェース３１が、ユーザデータをＮｏｄｅＢ２０ａ、２０ｂとの間で、内線送受信により送受信し、ＮｏｄｅＢ２０ａ、２０ｂの対内線送受信サーバインターフェース２３が、ユーザデータを内線送受信サーバ３０ｂと、内線送受信により送受信できる。
【０１０６】
このように、ユーザデータの送受信を常時一つの内線送受信サーバのみを使って行うことにより、ユーザデータの転送遅延を短縮することができる。又、ユーザデータを一の内線送受信装置で送受信することにより、ユーザデータを内線送受信により送受信できる範囲を容易に拡大することができる。
【０１０７】
又、データの秘匿化などのため、通信元のＭＳ１０ａから送信されるユーザデータと、通信先のＭＳ１０ｂへ送信するユーザデータの形式は異なるデータ形式とすることがある。このとき、内線送受信サーバ３０ａは、通信元のＭＳ１０ａから送信されたユーザデータを、通信先のＭＳ１０ｂに該当するユーザデータ形式にデータ変換を行う。
【０１０８】
このように、音声などのリアルタイムデータを転送する際の遅延揺らぎ対応処理やデータの秘匿処理を、一つの内線送受信サーバのみで行えば良いため、他の内線送受信サーバの処理負荷軽減とそれに伴う内線サーバコスト低減を実現できる。
【０１０９】
又、通信先のＭＳ１０ｂに着呼をかける前に、通信元であるＭＳ１０ａ側の内線送受信サーバ２３０ａのリソースを確保する必要がないため、発呼時の内線送受信サーバリソースの無駄な確保を軽減できる。
【０１１０】
又、上記のような、ＲＮＣ４０ａは、ＲＮＣ４０ａが管理する無線アクセスネットワーク５０ａ内にない内線送受信サーバ３０ｂと、直接、内線送受信制御データを送受信することができる。このため、内線送受信制御データの経路短絡化や回線使用料の低下を図ることができる。あるいは、ＲＮＣ４０ａは、ＲＮＣ４０ａが管理する無線アクセスネットワーク５０ａ内にない内線送受信サーバ３０ｂと、内線送受信サーバ３０ｂを管理するＲＮＣ４０ｂを介して、内線送受信制御データを送受信することができる。このため、ＲＮＣ４０ｂは、内線送受信制御データに基づいて内線送受信サーバ３０ｂを管理することができる。
【０１１１】
又、移動通信システム１００は、ＭＳ１０ａ、１０ｂ、ＮｏｄｅＢ２０ａ、２０ｂ、内線送受信サーバ３０ａ、３０ｂ、ＲＮＣ４０ａ、４０ｂ、ＭＳＣ６０、ＨＬＲ７０は、コネクションレス型の通信で、データを送受信する。このため、移動通信システム１００の構築や拡張が容易となる。更に、移動通信システム１００は、装置間の通信路や装置自体に障害が発生した際に、容易に障害発生部分を迂回することができ、信頼性を向上できる。
【０１１２】
又、内線送受信サーバ３０ａ、３０ｂは、対ＲＮＣインターフェース３２によって、ＲＮＣ４０ａ、４０ｂと、内線送受信制御データを送受信することができる。このため、ＲＮＣ４０ａ、４０ｂが内線送受信制御データに基づいてＮｏｄｅＢ２０ａ、２０ｂを管理することができる。
【０１１３】
又、ＭＳＣ６０は、内線送受信を実施する一の内線送受信サーバ３０ａ、３０ｂを選択する内線送受信判断部６６を備えるため、内線送受信装置のトラヒック状況や処理能力などに基づいて、最も適切な内線送受信装置を選択することができる。
【０１１４】
又、ＮｏｄｅＢ２０ａ、２０ｂは、内線送受信サーバＩＰアドレスとＵＤＰポート番号の組み合わせにより、セッションを管理する。これにより、容易にセッション数を増加させることができる。
【０１１５】
（その他の実施の形態）
本発明は上記の実施の形態によって記載したが、この開示の一部をなす論述及び図面はこの発明を限定するものであると理解すべきではない。この開示から当業者には様々な代替実施の形態、実施例及び運用技術が明らかとなろう。
【０１１６】
例えば、図１に示す移動通信システム１００では、ＭＳＣ６０が、ユーザデータを内線送受信により送受信するか否かを判断し、一の内線送受信サーバを選択する制御装置として機能しているが、制御装置はＭＳＣ６０に限定されない。ＮｏｄｅＢ２０ａ、２０ｂ、ＲＮＣ４０ａ、４０ｂ、内線送受信サーバ３０ａ、２３０ｂが、ユーザデータを内線送受信により送受信するか否かを判断する制御装置として機能してもよい。あるいは、ユーザデータを内線送受信により送受信するか否かを判断する制御装置を、無線アクセスネットワーク５０ａ、５０ｂ又はコアネットワーク８０に設けてもよい。
【０１１７】
これらの場合には、ＮｏｄｅＢ２０ａ、２０ｂ、ＲＮＣ４０ａ、４０ｂ、内線送受信サーバ３０ａ、３０ｂ、新たに設置した制御装置は、図５に示した内線送受信判断部６６、内線送受信サーバ接続情報ＤＢ６５、対ＲＮＣインターフェース６１が果たしていた判断情報受信部と、要求受信部と、判断結果送信部と、ＭＳとＭＳが接続しているＮｏｄｅＢとの対応関係を、ＭＳＣ６０又はＨＬＲ７０から取得する取得部とを備えればよい。
【０１１８】
又、図１に示す移動通信システム１００では、ＭＳＣ６０を用いているが、移動交換局として、分散移動交換局と集約移動交換局を用いてもよい。この場合でも、ユーザデータを内線送受信により送受信することにより、異なる分散移動交換局の配下に存在する移動局同士が通信を行う際のユーザデータの経路を短縮できる。
【０１１９】
又、内線送受信判断部６６は、トラヒック状況に基づいて内線送受信によるユーザデータの送受信を行うか否かを判断し、一の内線送受信サーバを選択できることから、例えば、通信事業者の提供するサービス品質を細かく設定できる。この場合、ＨＬＲ７０に、加入者情報として各ユーザのサービス品質を登録しておく。内線送受信判断部６６は、トラヒック状況に加えて、その加入者情報を用い、内線送受信によるユーザデータの送受信を行うか否かを判断し、一の内線送受信サーバを選択する。これにより、内線送受信判断部６６は、各ユーザの加入しているサービスを識別し、各ユーザにより適切なサービスを提供できる。
【０１２０】
又、内線送受信判断部６６は、内線送受信サーバの処理能力を判断情報として用いて、ユーザデータを内線送受信により送受信するか否かを判断し、一の内線送受信サーバを選択してもよい。これによれば、内線送受信判断部６６は、内線送受信と、ＭＳＣ６０を介したユーザデータの送受信のいずれを行うか、内線送受信を行う際はどの内線送受信サーバを選択するかを、内線送受信サーバの処理能力に基づいて制御することができる。よって、移動通信システムは、内線送受信によるユーザデータの送受信の品質を維持したり、負荷を分散したりできる。更に、内線送受信判断部６６は、無線アクセスネットワークにおけるトラヒック状況、内線送受信サーバの処理能力、ＭＳのユーザからの内線送受信要求、又は、ＮｏｄｅＢとユーザデータの送受信が可能な内線送受信サーバの有無の中から、２つ以上を組み合わせて、判断してもよい。
【０１２１】
又、図１では、ユーザデータを内線送受信によりＮｏｄｅＢや内線送受信サーバと送受信する処理、それに関する処理を主に行う内線送受信サーバ３０ａ、３０ｂを設けたが、そのような内線送受信の機能を備えた無線基地局装置や無線制御装置を設けるようにしてもよい。
【０１２２】
例えば、図１０に示すＮｏｄｅＢ１２０ａは、ユーザデータを、無線アクセスネットワーク間でデータを送受信する内線送受信により、他のＮｏｄｅＢ２０ｂと送受信する。ＮｏｄｅＢ１２０ａは、対ＮｏｄｅＢインターフェース１２６と、対ＲＮＣインターフェース１２２と、制御信号処理部１２４と、ユーザデータ処理部１２５と、無線送受信部１２１とを備える。
【０１２３】
対ＮｏｄｅＢインターフェース１２６は、図３に示す対ＮｏｄｅＢインターフェース３１と実質的に同様であり、ユーザデータを、無線アクセスネットワーク間でデータを送受信する内線送受信により、他のＮｏｄｅＢ２０ｂと送受信する基地局送受信部として機能する。対ＲＮＣインターフェース１２２は、図２に示す対ＲＮＣインターフェース２２と、図３に示す対ＲＮＣインターフェース３２の機能を備える。制御信号処理部１２４は、図２に示す制御信号処理部２４と、図３に示す制御信号処理部３３の機能を備える。ユーザデータ処理部１２５は、図２に示すユーザデータ処理部２５と、図３に示すユーザデータ処理部３４の機能を備える。無線送受信部１２１は、図２に示す無線送受信部２１と実質的に同様である。
【０１２４】
このようなＮｏｄｅＢ１２０ａは、図１におけるＮｏｄｅＢ２０ａと内線送受信サーバ３０ａ、３０ｂに代えて用いることができる。そして、ＮｏｄｅＢ１２０ａは、ユーザデータを内線送受信によりＮｏｄｅＢ２０ｂと送受信する内線送受信の機能と、ＭＳ１０ａと無線通信を行うＮｏｄｅＢの機能の両方を果たすことができる。具体的には、対ＮｏｄｅＢインターフェース１２６が、ユーザデータを、他のＮｏｄｅＢ２０ｂとの間で内線送受信により送受信する。そのため、ＭＳＣ６０が内線送受信を実施する内線送受信サーバとして、ＮｏｄｅＢ１２０ａを選択した場合は、ＮｏｄｅＢ１２０ａは、無線アクセスネットワーク５０ａ、５０ｂの外にあるＭＳＣ６０や他の内線送受信サーバを介さずに、ユーザデータを他のＮｏｄｅＢ２０ｂと送受信できる。よって、ＮｏｄｅＢ１２０ａは、内線送受信サーバ３０ａ、３０ｂの有する機能を内蔵するので、内線送受信サーバ３０ａ、３０ｂを設置せずに、ユーザデータの転送遅延を短縮し、他の内線送受信装置の処理負荷軽減、それに伴うコスト低減を実現することができる。
【０１２５】
又、図１１に示すＲＮＣ１４０ａは、ユーザデータを、無線アクセスネットワーク間でデータを送受信する内線送受信により、ＮｏｄｅＢ２０ａ、２０ｂやＲＮＣ４０ａと送受信する。ＲＮＣ１４０ａは、対ＮｏｄｅＢインターフェース１４１と、対ＭＳＣインターフェース１４３と、制御信号処理部１４４と、ユーザデータ処理部１４５と、対ＲＮＣインターフェース１４６とを備える。
【０１２６】
対ＮｏｄｅＢインターフェース１４１は、図４に示す対ＮｏｄｅＢインターフェース４１の機能を備え、無線アクセスネットワーク間でユーザデータを送受信する内線送受信により、ＮｏｄｅＢ２０ａ、２０ｂと送受信する基地局送受信部として機能する。対ＭＳＣインターフェース１４３は、図４に示す対ＭＳＣインターフェース４３と実質的に同様である。制御信号処理部１４４は、図４に示す制御信号処理部４４の機能を備える。ユーザデータ処理部１４５は、図４に示すユーザデータ処理部４５の機能を備える。対ＲＮＣインターフェース１４６は、図３に示す対ＲＮＣインターフェース３２と実質的に同様であり、ユーザデータを、内線送受信により他のＲＮＣ４０ａと送受信する内線送受信部として機能する。
【０１２７】
このようなＲＮＣ１４０ａは、図１におけるＲＮＣ４０ａと、内線送受信サーバ３０ａ、３０ｂに代えて用いることができる。よって、ＲＮＣ１４０ａは、ユーザデータを内線送受信によりＮｏｄｅＢ２０ａ、２０ｂと送受信する内線送受信の機能と、ＭＳ１０ａとＮｏｄｅＢ２０ａとが行う無線通信を制御するＲＮＣの機能の両方を果たすことができる。具体的には、対ＮｏｄｅＢインターフェース１４１が、ユーザデータを、ＮｏｄｅＢ２０ａ、２０ｂとの間で内線送受信により送受信する。更に、対ＲＮＣインターフェース１４６が、制御データ及びユーザデータを、他のＲＮＣ４０ｂとの間で内線送受信により送受信する。
【０１２８】
そのため、ＭＳＣ６０が内線送受信を実施する内線送受信サーバとして、ＲＮＣ１４０ａを選択した場合は、ＲＮＣ１４０ａは、無線アクセスネットワーク５０ａ，５０ｂの外にあるＭＳＣ６０を介さずに、ユーザデータをＮｏｄｅＢ２０ａ、２０ｂと送受信できる。よって、ＲＮＣ１４０ｂは、内線送受信サーバ３０ａ、３０ｂの有する機能を内蔵するので、内線送受信サーバ３０ａ、３０ｂを設置せずに、ユーザデータの転送遅延を短縮し、他の内線送受信装置の処理負荷軽減、それに伴うコスト低減を実現することができる。
【０１２９】
このように、本発明はここでは記載していない様々な実施の形態等を含むことは勿論である。従って、本発明の技術的範囲は上記の説明から妥当な特許請求の範囲に係る発明特定事項によってのみ定められるものである。
【図面の簡単な説明】
【０１３０】
【図１】本発明の実施の形態に係る移動通信システムの構成を示す図である。
【図２】本発明の実施の形態に係るＮｏｄｅＢの構成を示すブロック図である。
【図３】本発明の実施の形態に係る内線送受信サーバの構成を示すブロック図である。
【図４】本発明の実施の形態に係るＲＮＣの構成を示すブロック図である。である。
【図５】本発明の実施の形態に係るＭＳＣの構成を示すブロック図である。
【図６】本発明の実施の形態に係る内線送受信サーバ接続情報ＤＢ示す図である。
【図７】本発明の実施の形態に係るＨＬＲの構成を示すブロック図である。
【図８】本発明の実施の形態に係る通信方法の手順を示すフロー図である（その１）。
【図９】本発明の実施の形態に係る通信方法の手順を示すフロー図である（その２）。
【図１０】本発明のその他の実施の形態に係るＮｏｄｅＢの構成を示すブロック図である。
【図１１】本発明のその他の実施の形態に係るＲＮＣの構成を示すブロック図である。
【図１２】従来の移動通信システムの構成を示す図である。
【図１３】従来の通信方法の手順を示すフロー図である。
【符号の説明】
【０１３１】
１００、２００  移動通信システム
１０ａ、１０ｂ、２１０ａ、２１０ｂ  ＭＳ
２０ａ、２０ｂ、１２０ａ、２２０ａ、２２０ｂ  ＮｏｄｅＢ
２１、１２１  無線送受信部
２１ａ  アンテナ
２２、１２２  対ＲＮＣインターフェース
２３  対内線送受信サーバインターフェース
２４、１２４  制御信号処理部
２５、１２５  ユーザデータ処理部
１２６  対ＮｏｄｅＢインターフェース
３０ａ、３０ｂ  内線送受信サーバ
３１  対ＮｏｄｅＢインターフェース
３２  対ＲＮＣインターフェース
３３  制御信号処理部
３４  ユーザデータ処理部
４０ａ、４０ｂ、１４０ｂ、２４０ａ、２４０ｂ  ＲＮＣ
４１、１４１  対ＮｏｄｅＢインターフェース
４２  対内線送受信サーバインターフェース
４３、１４３  対ＭＳＣインターフェース
４４、１４４  制御信号処理部
４５、１４５  ユーザデータ処理部
４６、１４６  対ＲＮＣインターフェース
５０ａ、５０ｂ、２５０ａ、２５０ｂ  無線アクセスネットワーク
６０、２６０  ＭＳＣ
６１  対ＲＮＣインターフェース
６２  対ＨＬＲインターフェース
６３  制御信号処理部
６４  ユーザデータ処理部
６５  内線送受信サーバ接続情報ＤＢ
６６  内線送受信判断部
７０、２７０  ＨＬＲ
７１  対ＭＳＣインターフェース
７２  加入者情報ＤＢ
８０  コアネットワーク
【図１】
2005142964.tif 000003
【図２】
2005142964.tif 000004
【図３】
2005142964.tif 000005
【図４】
2005142964.tif 000006
【図５】
2005142964.tif 000007
【図６】
2005142964.tif 000008
【図７】
2005142964.tif 000009
【図８】
2005142964.tif 000010
【図９】
2005142964.tif 000011
【図１０】
2005142964.tif 000012
【図１１】
2005142964.tif 000013
【図１２】
2005142964.tif 000014
【図１３】
2005142964.tif 000015